(57)【要約】【課題】端末装置が外部装置に接続されている場合に、その外部装置に出力されている情報に関する情報を、利便性を損なうことなく、ユーザに認識させることである。【解決手段】携帯電話機１は、テレビ装置７がＨＤＭＩケーブル８を介して接続されている状態において、所定の情報（例えば、動画、静止画、音楽、メニュー画面情報など）を外部装置（テレビ装置７）に対して出力する。ここで、携帯電話機１は、テレビ装置７に出力されている情報を制御するための操作情報を報知する。【選択図】  図１
2010171864.tif 000002
【特許請求の範囲】
【請求項１】
外部装置と接続される端末装置であって、
前記外部装置との接続を検出する接続検出手段と、
所定の情報を前記外部装置に出力する出力手段と、
前記接続検出手段によって外部装置との接続が検出された場合に、その外部装置に前記所定の情報を前記出力手段で出力するように制御する出力制御手段と、
前記出力手段による情報の出力中に、この情報を制御するための操作情報を前記出力手段とは異なる報知手段に報知させるように制御する報知制御手段と、
を具備したことを特徴とする端末装置。
【請求項２】
前記出力手段によって出力される情報を判別する判別手段と、
前記外部装置に出力される複数の情報の個々に夫々対応付けられて記憶されている各操作情報のうち、そのいずれかの操作情報を前記判別手段による判別結果に基づいて選択する選択手段と、
を更に備え、
前記報知制御手段は、前記選択手段によって選択された操作情報を報知させる、
ようにしたことを特徴とする請求項１記載の端末装置。
【請求項３】
前記報知制御手段は、当該端末装置の操作部に対応する操作情報を報知させる、
ようにしたことを特徴とする請求項１記載の端末装置。
【請求項４】
前記報知制御手段は、前記接続検出手段によって接続が検出された外部装置及びその外部装置を制御するための制御装置の少なくともいずれか一方の操作部に対応する操作情報を報知させる、
ようにしたことを特徴とする請求項１記載の端末装置。
【請求項５】
前記外部装置及び制御装置の少なくともいずれか一方を識別するための識別情報を取得する取得手段を更に備え、
前記報知制御手段は、前記取得手段によって取得された識別情報に応じた操作情報を報知させる、
ようにしたことを特徴とする請求項４記載の端末装置。
【請求項６】
前記報知制御手段は、当該端末装置の操作部に対応する操作情報、前記外部装置の操作部に対応する操作情報、前記外部装置を制御するための制御装置の操作部に対応する操作情報のうち、少なくともいずれか２つを切り替えて報知させる、
ようにしたことを特徴とする請求項４記載の端末装置。
【請求項７】
前記出力手段によって出力される情報が切り替わったことを検出する切替検出手段を更に備え、
前記報知制御手段は、前記切替検出手段によって情報が切り替わったことが検出された場合に、その切り替わった情報に応じた操作情報を切り替えて報知させる、
ようにしたことを特徴とする請求項１記載の端末装置。
【請求項８】
前記出力手段による情報の出力を停止する停止手段を更に備え、
前記報知制御手段は、前記停止手段によって情報の出力が停止された場合に、操作情報の報知を停止する、
ようにしたことを特徴とする請求項１記載の端末装置。
【請求項９】
外部装置と接続される端末装置であって、
前記外部装置との接続を検出する接続検出手段と、
所定の情報を外部装置に出力する出力手段と、
前記接続検出手段によって外部装置との接続が検出された場合に、その外部装置に前記所定の情報を前記出力手段で出力するように制御する出力制御手段と、
前記出力手段による情報の出力中に、この情報の状況を示す状況情報を前記出力手段とは異なる報知手段に報知させるように制御する報知制御手段と、
を具備したことを特徴とする端末装置。
【請求項１０】
前記報知制御手段は、前記外部装置に出力されている情報の音量情報を報知させる、
ようにしたことを特徴とする請求項９記載の端末装置。
【請求項１１】
前記報知制御手段は、前記外部装置に出力されている情報の出力時間情報を報知させる、
ようにしたことを特徴とする請求項９記載の端末装置。
【請求項１２】
コンピュータに対して、
外部装置との接続が検出された場合に、その外部装置に所定の情報を出力手段で出力するように制御する機能と、
前記所定の情報の出力中に、この情報を制御するための操作情報を前記出力手段とは異なる報知手段に報知させるように制御する機能と、
を実現させるためのプログラム。
【請求項１３】
コンピュータに対して、
外部装置との接続が検出された場合に、その外部装置に所定の情報を出力手段で出力するように制御する機能と、
前記所定の情報の出力中に、この情報の状況を示す状況情報を前記出力手段とは異なる報知手段に報知させるように制御する機能と、
を実現させるためのプログラム。
【発明の詳細な説明】
【技術分野】
【０００１】
本発明は、外部装置と接続される端末装置及びプログラムに関する。
【背景技術】
【０００２】
近年、テレビ装置やステレオ装置などの外部装置と接続可能な携帯電話機などの端末装置においては、予め蓄積しておいた動画データや音楽データなどを、その外部装置に対して出力させることが可能となっているほか、外部装置への情報出力中に、端末装置、外部装置、この外部装置を制御するための制御装置（リモートコントローラ）を操作することによって、例えば、出力中の情報を別の情報に切り替えたり、早送り、巻き戻しをしたり、出力を停止したりする制御が可能となっている。このように出力中の情報を制御する場合に、その制御の方法（操作方法）をユーザに認識させるために、従来ではその情報を制御するための操作情報（操作ガイド）を外部装置に対して出力し、外部装置に出力中の情報と共に表示させる（あるいは音声出力させる）ようにした技術が開示されている（特許文献１参照）。すなわち、この特許文献１には、放送コンテンツと蓄積コンテンツと共に操作ガイドを受信して表示端末装置に表示させる技術が開示されている。
【先行技術文献】
【特許文献】
【０００３】
【特許文献１】特開２００５−０１２６５２号公報
【発明の概要】
【発明が解決しようとする課題】
【０００４】
しかしながら、上述した先行技術では、表示端末装置に出力中の情報に操作情報（操作ガイド）が重なってしまうと、ユーザの視聴を妨げてしまうおそれがある。そこで、これらの情報が重ならないようにするために、出力中の情報と操作情報の両方、あるいはそのどちらか一方の表示領域を制限すればよいが、出力中の情報の表示領域を制限してしまうと、ユーザが視聴し難くなり、操作情報の表示領域を制限してしまうと、操作情報をユーザに効果的に認識させることができなくなり、いずれの方法でも利便性を損なってしまう。また、情報の出力と共に操作情報の出力を行う結果、出力処理に大きな負担がかかるため、例えば、処理能力が低いときには、情報の出力に遅延が生じてしまうなど、悪影響を及ぼし、利便性を損なってしまう。また、例えば、出力中の情報が動画や音楽である場合に、その出力状況を示す音量情報を出力したり、全体に対して現在どのあたりを出力（再生）中なのかを示す出力時間情報などを出力したりする際にも上述した操作情報の場合と同様の問題を生じる。
【０００５】
本発明の課題は、端末装置が外部装置に接続されている場合に、その外部装置に出力されている情報に関する情報を、利便性を損なうことなく、ユーザに認識させることである。
【課題を解決するための手段】
【０００６】
上述した課題を解決するために請求項１記載の発明は、外部装置と接続される端末装置であって、前記外部装置との接続を検出する接続検出手段と、所定の情報を前記外部装置に出力する出力手段と、前記接続検出手段によって外部装置との接続が検出された場合に、その外部装置に前記所定の情報を前記出力手段で出力するように制御する出力制御手段と、前記出力手段による情報の出力中に、この情報を制御するための操作情報を前記出力手段とは異なる報知手段に報知させるように制御する報知制御手段と、を具備したことを特徴とする。
【０００７】
請求項１に従属する発明として、前記出力手段によって出力される情報を判別する判別手段と、前記外部装置に出力される複数の情報の個々に夫々対応付けられて記憶されている各操作情報のうち、そのいずれかの操作情報を前記判別手段による判別結果に基づいて選択する選択手段と、を更に備え、前記報知制御手段は、前記選択手段によって選択された操作情報を報知させる、ようにしたことを特徴とする請求項２記載の発明であってもよい。
【０００８】
請求項１に従属する発明として、前記報知制御手段は、当該端末装置の操作部に対応する操作情報を報知させる、ようにしたことを特徴とする請求項３記載の発明であってもよい。
【０００９】
請求項１に従属する発明として、前記報知制御手段は、前記接続検出手段によって接続が検出された外部装置及びその外部装置を制御するための制御装置の少なくともいずれか一方の操作部に対応する操作情報を報知させる、ようにしたことを特徴とする請求項４記載の発明であってもよい。
【００１０】
請求項４に従属する発明として、前記外部装置及び制御装置の少なくともいずれか一方を識別するための識別情報を取得する取得手段を更に備え、前記報知制御手段は、前記取得手段によって取得された識別情報に応じた操作情報を報知させる、ようにしたことを特徴とする請求項５記載の発明であってもよい。
【００１１】
請求項１に従属する発明として、前記報知制御手段は、当該端末装置の操作部に対応する操作情報、前記外部装置の操作部に対応する操作情報、前記外部装置を制御するための制御装置の操作部に対応する操作情報のうち、少なくともいずれか２つを切り替えて報知させる、ようにしたことを特徴とする請求項６記載の発明であってもよい。
【００１２】
請求項１に従属する発明として、前記出力手段によって出力される情報が切り替わったことを検出する切替検出手段を更に備え、前記報知制御手段は、前記切替検出手段によって情報が切り替わったことが検出された場合に、その切り替わった情報に応じた操作情報を切り替えて報知させる、ようにしたことを特徴とする請求項７記載の発明であってもよい。
【００１３】
請求項１に従属する発明として、前記出力手段による情報の出力を停止する停止手段を更に備え、前記報知制御手段は、前記停止手段によって情報の出力が停止された場合に、操作情報の報知を停止する、ようにしたことを特徴とする請求項８記載の発明であってもよい。
【００１４】
また、上述した課題を解決するために請求項９記載の発明は、外部装置と接続される端末装置であって、前記外部装置との接続を検出する接続検出手段と、所定の情報を外部装置に出力する出力手段と、前記接続検出手段によって外部装置との接続が検出された場合に、その外部装置に前記所定の情報を前記出力手段で出力するように制御する出力制御手段と、前記出力手段による情報の出力中に、この情報の状況を示す状況情報を前記出力手段とは異なる報知手段に報知させるように制御する報知制御手段と、を具備したことを特徴とする。
【００１５】
請求項９に従属する発明として、前記報知制御手段は、前記外部装置に出力されている情報の音量情報を報知させる、ようにしたことを特徴とする請求項１０記載の発明であってもよい。
【００１６】
請求項９に従属する発明として、前記報知制御手段は、前記外部装置に出力されている情報の出力時間情報を報知させる、ようにしたことを特徴とする請求項１１記載の発明であってもよい。
【００１７】
また、上述した課題を解決するために請求項１２記載の発明は、コンピュータに対して、外部装置との接続が検出された場合に、その外部装置に所定の情報を出力手段で出力するように制御する機能と、前記所定の情報の出力中に、この情報を制御するための操作情報を前記出力手段とは異なる報知手段に報知させるように制御する機能と、を実現させるためのプログラムを特徴とする。
【００１８】
また、上述した課題を解決するために請求項１３記載の発明は、コンピュータに対して、外部装置との接続が検出された場合に、その外部装置に所定の情報を出力手段で出力するように制御する機能と、前記所定の情報の出力中に、この情報の状況を示す状況情報を前記出力手段とは異なる報知手段に報知させるように制御する機能と、を実現させるためのプログラムを特徴とする。
【発明の効果】
【００１９】
本発明によれば、端末装置が外部装置に接続されている場合に、その外部装置に出力されている情報に関する情報を、利便性を損なうことなく、ユーザに認識させることができる。
【図面の簡単な説明】
【００２０】
【図１】端末装置として適用した携帯電話機が利用可能な通信ネットワークシステムを示したブロック図。
【図２】携帯電話機１の基本的な構成要素を示したブロック図。
【図３】（１）は、テレビ装置７の基本的な構成要素を示したブロック図、（２）は、テレビ用リモコン９の基本的な構成要素を示したブロック図。
【図４】。テレビ用リモコン９の操作部９４を説明するための図。
【図５】携帯電話機１の外観図。
【図６】蓄積情報記憶部Ｍ３を説明するための図。
【図７】初期画面情報記憶部Ｍ４を説明するための図。
【図８】テレビ装置７又はテレビ用リモコン９の操作情報（操作信号）を、携帯電話機１を制御するための制御情報（制御信号）に変換するための変換用情報（変換テーブル）を記憶する変換用情報記憶部Ｍ５を説明するための図。
【図９】携帯電話機１の操作情報（操作信号）を、携帯電話機１を制御するための制御情報（制御信号）に変換するための変換用情報（変換テーブル）を記憶する変換用情報記憶部Ｍ５を説明するための図。
【図１０】（１）は、テレビ表示部７７に携帯電話機１の状態を示すメニュー画面が表示されている状態を示した図、（２）は、テレビ用リモコン９用の「操作情報」として、テレビ用リモコン９の操作部９４のキーレイアウト情報が携帯電話表示部１７に表示されている状態を示した図。
【図１１】携帯電話機１用の「操作情報」として、携帯電話機１の操作部１８のキーレイアウト情報が携帯電話表示部１７に表示されている状態を示した図。
【図１２】電源投入に伴って実行開始される携帯電話機１側の全体動作の概要を示したフローチャート。
【図１３】図１２で示したテレビ接続処理（ステップＡ６）を詳述するためのフローチャート。
【図１４】図１３で示した状況情報表示処理（ステップＢ１０など）を詳述するためのフローチャート。
【図１５】図１２で示した出力情報制御処理Ａ（ステップＡ８）を詳述するためのフローチャート。
【図１６】図１２で示した出力情報制御処理Ｂ（ステップＡ１０）の一部を示したフローチャート。
【図１７】図１２で示したテレビ接続外れ処理（ステップＡ１４）を詳述するためのフローチャート。
【発明を実施するための形態】
【００２１】
以下、図１〜図１７を参照して本発明の実施形態を説明する。
この実施形態は、端末装置として携帯電話機に適用した場合を例示したもので、図１は、この携帯電話機が利用可能な通信ネットワークシステムを示したブロック図である。
携帯電話機１は、例えば、２つの筐体を折り畳み自在に取り付けた折り畳みタイプで、この携帯電話機１には、通話機能、電子メール機能、インターネット接続機能（Ｗｅｂアクセス機能）のほか、デジタルテレビ放送（例えば、ワンセグ地上デジタルテレビ放送）を受信可能なテレビ放送受信機能、デジタルラジオ放送（例えば、サンセグ地上デジタルラジオ放送）を受信可能なラジオ放送受信機能、ＨＤＭＩ−ＣＥＣ（High Definition Multimedia Interface-Consumer Electronics Control）連携機能などが備えられている。
【００２２】
ＨＤＭＩ−ＣＥＣ連携機能は、ＨＤＭＩ−ＣＥＣ規格に準拠した複数の装置同士が専用ケーブルを介して接続されると、それらの装置同士での連携動作を実現するようにした機能である。すなわち、ＨＤＭＩ−ＣＥＣ規格に準拠した携帯電話機１と外部装置（後述するテレビ装置）とがＨＤＭＩ接続されている状態において、この外部装置側の操作で携帯電話機１が制御されるようになる。携帯電話機１は、最寄りの基地局２Ａ、交換機２Ｂから無線通信網（移動体通信網）２に接続されると、この無線通信網２を介して他の携帯電話機（図示省略）との間で通話可能な状態となる。
【００２３】
また、携帯電話機１は、無線通信網２を介してインターネット３に接続されると、Ｗｅｂサイトをアクセスして閲覧可能となり、また、情報配信装置４から動画、静止画、音楽、ニュースなどの情報をインターネット３、無線通信網２を介してダウンロード可能となる。また、携帯電話機１は、テレビ局・ラジオ局５から送信アンテナ６を介して発信された地上波デジタル放送を受信するようにしているが、インターネットラジオのように無線通信網２、インターネット３を介してテレビ・ラジオ番組情報サーバ（図示せず）からデジタル放送をダウンロード受信することもできる。
【００２４】
また、携帯電話機１は、外部装置としてのテレビ装置７にＨＤＭＩケーブル８を介して接続可能となっている。携帯電話機１とテレビ装置７とがＨＤＭＩケーブル８を介して接続されている状態において、テレビ装置７側の操作で携帯電話機１の制御が可能となり、また、テレビ装置７を制御するための制御装置（テレビ用リモートコントローラ）９側の操作で携帯電話機１の制御が可能となっている。なお、以下、テレビ用リモートコントローラ９をテレビ用リモコン９と呼称するものとする。
【００２５】
図２は、携帯電話機１の基本的な構成要素を示したブロック図である。
中央制御部１１は、二次電池を備えた電池部１２からの電力供給によって動作し、記憶部１３内の各種のプログラムに応じてこの携帯電話機１の全体動作を制御する中央演算処理装置やメモリなどを有している。この記憶部１３には、プログラム記憶部Ｍ１、各種情報一時記憶部Ｍ２、蓄積情報記憶部Ｍ３、初期画面情報記憶部Ｍ４、変換用情報記憶部Ｍ５などが設けられている。なお、記憶部１３は内蔵型に限らず、例えば、メモリカードや外付けハードディスクなど、任意の外部記憶装置であってもよく、あるいは図示しない所定の外部サーバ上にあってもよい。
【００２６】
プログラム記憶部Ｍ１は、図１２〜図１７に示した動作手順に応じて本実施形態を実現するためのプログラムや各種のアプリケーションなどが格納されているほか、それに必要とする情報などが記憶されている。各種情報一時記憶部Ｍ２は、フラグ情報、タイマ情報、画面情報など、携帯電話機１が動作するために必要な各種の情報を一時的に記憶するワーク領域である。なお、蓄積情報記憶部Ｍ３、初期画面情報記憶部Ｍ４、変換用情報記憶部Ｍ５については後で詳述するものとする。
【００２７】
無線通信部１４は、図示しない無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調したのち、音声信号処理部１５を介して通話用スピーカＳＰから音声出力させ、また、通話用マイクＭＣからの入力音声データを音声信号処理部１５から取り込み、送信ベースバンド信号に符号化したのち、ベースバンド部の送信側に与えてアンテナから発信出力させる。
【００２８】
テレビ放送・ラジオ放送受信部１６は、テレビ放送受信部とラジオ放送受信部とを有し、それらを個別に起動可能なもので、通信端末装置向けのワンセグ地上波デジタルテレビ放送、サンセグ地上波デジタルラジオ放送と共に、電子番組表（ＥＰＧ）などの番組情報も含めて受信可能となっている。このテレビ放送・ラジオ放送受信部１６は、放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。
【００２９】
表示部１７は、高精細液晶あるいは有機ＥＬなどを使用し、例えば、文字情報、待受画像、テレビ映像などを表示させる。操作部１８は、ダイヤル入力、文字入力、コマンド入力などを入力するもので、中央制御部１１は、この操作部１８からの入力操作信号に応じた処理を実行する。ＲＴＣ（リアルタイムクロックモジュール）１９は、時計部を構成するもので、中央制御部１１は、ＲＴＣ１９から現在日時を取得する。報知部２０は、サウンドスピーカ２１、ＬＥＤ（発光ダイオード）２２、振動モータ２３を備え、着信時に駆動されて着信報知を行うほか、アラーム報知時などでも駆動される。サウンドスピーカ２１は、音楽情報などを再生出力したり、テレビ放送やラジオ放送を音声出力したりする。接続部２４は、外部装置であるテレビ装置７がＨＤＭＩケーブル８を介して接続されるもので、この接続部２４によってテレビ装置７がＨＤＭＩ接続されている状態において、中央制御部１１は、テレビ用リモコン９からの操作信号を、テレビ装置７を中継して受信する。
【００３０】
図３は、テレビ装置７及びテレビ用リモコン９の基本的な構成要素を示したブロック図である。
図３（１）に示すように、テレビ装置７は、ＨＤＭＩ−ＣＥＣ規格に準拠したもので、中央制御部７１は、ＡＣ電源（商用電源）に接続される電源部７２からの電力供給によって動作し、記憶部７３内の各種のプログラムに応じてテレビ装置７の全体動作を制御する中央演算処理装置やメモリなどを有している。この記憶部７３には、その操作部７４の操作キーに応じた操作信号を生成し、接続部７５を介して携帯電話機１に対して送信するプログラムなどを記憶するプログラム記憶部Ｍ１１と、テレビ装置７が動作するために必要な各種の情報を一時的に記憶する各種情報一時記憶部Ｍ１２とを有している。
【００３１】
テレビ放送受信部７６は、フルセグ地上波デジタルテレビ放送や衛星情報（ＢＳ放送、ＣＳ放送）などを受信可能なもので、その映像データは、テレビ画面を構成する表示部７７から出力され、その音声データはスピーカ７８から出力される。操作信号受信部（リモコン受信部）７９は、Bluetooth（登録商標、以下同様）通信や赤外線通信による近距離通信部（リモコン受信部）を構成し、通信可能エリア内のテレビ用リモコン９から送信されてくる操作信号を受信するもので、中央制御部７１は、このテレビ用リモコン９からの操作信号に応じた処理として、例えば、電源オン／オフ処理、受信チャンネル切替処理、音量調整処理などを行う。この場合、テレビ装置７にＨＤＭＩケーブル８を介して携帯電話機１が接続されている状態において、中央制御部７１は、テレビ用リモコン９からの操作信号を受信すると、この操作信号はＨＤＭＩケーブル８を介して携帯電話機１に転送するようにしている。
【００３２】
図３（２）は、テレビ用リモコン９の構成を示したもので、中央制御部９１は、電池部９２からの電力供給によって動作し、記憶部９３内の各種のプログラムに応じてテレビ用リモコン９の全体動作を制御する中央演算処理装置やメモリなどを有している。この記憶部９３には、その操作部９４での操作キーに応じた操作信号を生成し、操作信号送信部９５からテレビ装置７に対して送信するプログラムなどを記憶するプログラム記憶部Ｍ２１と、テレビ用リモコン９が動作するために必要な各種の情報を一時的に記憶する各種情報一時記憶部Ｍ２２とを有している。操作信号送信部９５は、Bluetooth通信や赤外線通信による近距離通信部を構成するもので、操作部９４での操作キーに応じた操作信号を送信してテレビ装置７に与える。なお、報知部９６は、ＬＥＤ（発光ダイオード）によって構成されたもので、操作キーなどを明示したり、現在の状態（電源オン状態、操作信号送信状態など）を明示したりする。
【００３３】
図４は、テレビ用リモコン９の操作部９４を説明するための図である。
テレビ用リモコン操作部９４には、電源キーＫ１、音量調整キーＫ２、選局キーＫ３、ワンタッチチャンネルキーＫ４のほか、色別（青色、赤色、緑色、黄色）の各カラーキーＫ５、上下左右のカーソルキーＫ６、決定キーＫ７が設けられている。なお、図示省略したが、テレビ装置７側の操作部７４にも基本的に同様のキー（又は類似するキー）として、電源キー、音量調整キー、選局キーのほか、色別（青色、赤色、緑色、黄色）の各カラーキーなどが設けられている。
【００３４】
携帯電話機１は、テレビ装置７がＨＤＭＩケーブル８を介して接続されている状態において、所定の情報（例えば、動画、静止画、音楽、メニュー画面情報など）を外部装置（テレビ装置７）に対して出力してそのテレビ表示部７７に表示させるようにしている。ここで、テレビ装置７の操作部７４又はテレビ用リモコン９の操作部９４でキー操作が行われた場合に、携帯電話機１は、その操作キーに応じた操作情報（操作信号）をテレビ装置７から直接又はテレビ用リモコン９からテレビ装置７を経由して受信し、携帯電話機１を制御するための制御情報（制御信号）に変換したのち、この制御信号に応じた処理（例えば、出力中の情報の切替処理、その情報の早送り処理や停止処理など）を実行するようにしている。
【００３５】
図５は、携帯電話機１の外観図である。
携帯電話機１は、その機器本体（装置本体）を構成する操作部筐体１Ａと表示部筐体１Ｂとがヒンジ部１Ｃを介して折り畳み自在に連結されている折り畳み型の電話機で、図５は、操作部筐体１Ａと表示部筐体１Ｂとの折り畳みを開いた状態のオープンスタイルを示し、操作部筐体１Ａの内面側には、図２に示した操作部１８が配置され、また、その側面部には、ＨＤＭＩケーブル８が接続可能な接続部２４が配置されている。また、表示部筐体１Ｂの内面側には、図２に示した表示部１７が配置されている。また、操作部筐体１Ａの内面側には、図２に示した通話用マイクＭＣが配置され、表示部筐体１Ｂの内面側には、図２に示した通話用スピーカＳＰが配置されている。
【００３６】
図６は、蓄積情報記憶部Ｍ３を説明するための図である。
蓄積情報記憶部Ｍ３は、例えば、無線通信網２、インターネット３を介して情報配信装置４からダウンロードした動画、静止画、音楽、ニュースなどの情報を蓄積記憶するもので、この蓄積情報を識別する「情報ＩＤ」、蓄積情報の種類（動画、静止画、音楽など）を示す「情報種別」のほか、「タイトル」、「付加情報」、「実データ」、…の各項目を有している。中央制御部１１は、携帯電話機１とテレビ装置７とがＨＤＭＩケーブル８を介して接続されている状態において、蓄積情報記憶部Ｍ３内の蓄積情報をテレビ装置７に出力してそのテレビ表示部７７に表示させたり、スピーカ７８から出力させたりする。
【００３７】
図７は、初期画面情報記憶部Ｍ４を説明するための図である。
初期画面情報記憶部Ｍ４は、テレビ装置７にＨＤＭＩケーブル８を介してＨＤＭＩ接続されている状態において、最初にどのような情報をテレビ装置７に出力するかを示す情報を記憶するもので、「項目」、「設定フラグ」、「情報ＩＤ」の各項目を有している。「項目」は、最初にどのような情報を出力するかを示す情報として、図示の例では、“メニュー画面”、“情報再生画面”が記憶されている。なお、“メニュー画面”は、各種の処理メニューを一覧表示する画面である。“情報再生画面”は、蓄積情報記憶部Ｍ３内の動画、静止画、音楽、ニュースなどの蓄積情報を表示する画面である。
【００３８】
「設定フラグ」は、最初にどのような情報を出力するかを示す情報がその項目に設定されているか否かを示すためのフラグで、“１”は、その項目に設定されていることを示し、“０”は、その項目に設定されていないを示し、図示の例では、“メニュー画面”に設定されていることを示している。「情報ＩＤ」は、最初に“情報再生画面”を出力する場合（“情報再生画面”の設定フラグが“１”の場合）に、出力する蓄積情報を指定するもので、図示の例では、“Ｉ０２”の動画を出力すべきことを示している。なお、「設定フラグ」、「情報ＩＤ」の変更など、初期画面情報記憶部Ｍ５の内容は、ユーザ操作によって任意に設定可能となっている。
【００３９】
図８及び図９は、変換用情報記憶部Ｍ５を説明するための図で、図８は、テレビ装置７、テレビ用リモコン９に関する変換用情報を示し、図９は、携帯電話機１に関する変換用情報を示している。
図８に示す変換用情報記憶部Ｍ５は、携帯電話機１と外部装置（テレビ装置７）とがＨＤＭＩケーブル８を介してＨＤＭＩ接続されている状態において、テレビ装置７又はテレビ用リモコン９の操作情報（操作信号）を、携帯電話機１を制御するための制御情報（制御信号）に変換するための変換用情報（変換テーブル）を記憶するもので、「機種ＩＤ」、「キーＩＤ」、「キー名称」、「状態」の項目を有している。なお、図８に示す変換用情報記憶部Ｍ５の内容は、ユーザ操作によって任意に設定可能となっている。
【００４０】
「機種ＩＤ」は、テレビ装置７又はテレビ用リモコン９を識別するためのＩＤで、図８に示す変換用情報記憶部Ｍ５は、その「機種ＩＤ」がテレビ装置７の識別ＩＤである場合には、テレビ装置７の操作部７４からの操作信号を、携帯電話機１を制御するための制御信号に変換するための変換用情報を記憶し、テレビ用リモコン９の識別ＩＤである場合には、テレビ用リモコン９の操作部９４からの操作信号を、携帯電話機１を制御するための制御信号に変換するための変換用情報を記憶する。「キーＩＤ」は、テレビ装置７又はテレビ用リモコン９で操作されたキーを識別するキー識別ＩＤであり、このキーＩＤがテレビ装置７又はテレビ用リモコン９からの操作信号として携帯電話機１に送信される。
【００４１】
「キー名称」は、テレビ装置７又はテレビ用リモコン９側でのキーの名称を示している。「状態」は、携帯電話機１の状態を示し、「メニュー画面情報出力中」、「動画再生画面出力中」、「静止画再生画面情報出力中」、…の各状態に対応して、キー別にキーの機能を定義する変換用情報が記憶されている。なお、「動画再生画面出力中」、「静止画再生画面情報出力中」以外の蓄積情報再生画面情報出力中としては、「音楽再生画面情報出力中」などがある。
【００４２】
そして、この各「状態」に対応付けられている「現在フラグ」は、現在どの状態であるかを示すフラグで、図示の例では、「メニュー画面情報出力中」に対応して「現在フラグ」が“１”となっているので、現在の状態は、「メニュー画面情報出力中」であることを示している。なお、図中、“−”は、ノンファンクションキーであることを示し、そのキーは所定の状態で無効となることを示しているが、携帯電話機１側で無効でもテレビ装置７側ではこれに制限されず、有効キーとして機能してもよい。例えば、携帯電話機１からテレビ装置７側に蓄積情報（動画）を送信してテレビ画面に出力させている動画出力中であっても、テレビ用リモコン９の数値キー「１」の操作で、テレビ装置７の受信チャンネルを１チャンネルに切り換えるようにしてもよい。
【００４３】
また、「メニュー画面情報出力中」の状態において各数値キーは、メニュー項目を選択する選択キーとして機能するように定義されている。すなわち、テレビ装置７側の操作、あるいはテレビ用リモコン９側の操作で、数値キー「１」〜「１２」のいずれかが操作されると、この「メニュー画面情報出力中」の変換用情報を参照してその操作信号はメニュー項目を選択する制御信号に変換される。この場合、「メニュー画面情報出力中」において、数値キー「１」は、メニュー項目（１）を選択し、数値キー「２」は、メニュー項目（２）を選択し、…数値キー「１２」は、メニュー項目（１２）を選択するキーとして機能することを示している。図１０（１）は、テレビ装置７の表示部（テレビ表示部）７７に携帯電話機１の状態を示すメニュー画面が表示されている状態を示している。
【００４４】
図１０（１）において、このメニュー画面には、例えば、“動画再生”、“静止画再生”、“音楽再生”のメニュー項目が数値キー「１」、「２」、「３」に対応して表示され、その中から所望する項目を選択するために、該当する数値キーを操作する。図示の例は、“動画再生”のメニュー項目が選択された場合を示し、このメニュー項目の選択に応じて動画のタイトルが一覧表示される。なお、このタイトル一覧の中から所望するタイトルをカーソルキー操作によって選択して、ＯＫキー（決定キー）が操作されると、そのタイトルの動画の再生が開始される。
【００４５】
また、各「状態」に対応付けられている「操作情報」は、テレビ装置７に出力されている情報を制御する操作の方法を示すガイダンス情報であり、「機種ＩＤ」が示す機種（テレビ装置７、テレビ用リモコン９）の操作部７４、９４に対応して、そのキーレイアウト情報（グラフィカルなキー配列情報）、あるいはより簡略化したキー配列情報が「状態」毎に記憶されている。図１０（２）は、テレビ用リモコン９用の「操作情報」として、テレビ用リモコン９の操作部９４のキーレイアウト情報が携帯電話機１の表示部（携帯電話表示部）１７に表示されている状態を示している。なお、図示の例では、無効のキーを明示するために無効なキーには灰色表示を施され、また、“項目選択”や“項目移動と決定”のようにキーの操作内容がガイダンス表示されている。
【００４６】
図９に示す変換用情報記憶部Ｍ５は、携帯電話機１の操作信号を、携帯電話機１を制御するための制御信号に変換するための変換用情報（変換テーブル）を記憶するもので、「キーＩＤ」、「キー名称」、「状態」の項目を有している。なお、図９に示す変換用情報記憶部Ｍ５の内容は、ユーザ操作によって任意に設定可能となっている。「キーＩＤ」は、携帯電話機１において操作されたキーを識別するキー識別ＩＤである。なお、携帯電話機１の操作部（携帯電話操作部）１８のキーがテレビ装置７の操作部（テレビ操作部）７４、テレビ用リモコン９の操作部（テレビ用リモコン操作部）９４のキーと同じ働きをする場合には、同じ「キーＩＤ」を割り振るようにしてもよい。「キー名称」は、携帯電話機１側でのキーの名称を示している。
【００４７】
「状態」は、図８の場合と同様に、携帯電話機１の状態を示し、「メニュー画面情報出力中」、「動画再生画面出力中」、「静止画再生画面情報出力中」、…の各状態に対応して、キー別にキーの機能を定義する変換用情報が記憶されている。なお、図中、（テレビに出力）は、携帯電話操作部１８での操作が携帯電話機１を制御するための操作ではなく、テレビ装置７を操作するための操作であることを示している。この各「状態」に対応付けられている「現在フラグ」は、現在どの状態であるかを示すフラグである。
【００４８】
また、各「状態」に対応付けられている「操作情報」は、テレビ装置７に出力されている情報を制御する操作の方法を示すガイダンス情報で、携帯電話操作部１８のキーレイアウト情報（グラフィカルなキー配列情報）又はより簡略化したキー配列情報で、「状態」毎に記憶されている。図１１は、携帯電話機１用の「操作情報」として、携帯電話操作部１８のキーレイアウト情報が携帯電話表示部１７に表示されている状態を示している。なお、図示の例では、無効のキーを明示するために無効なキーには灰色表示を施され、また、“上下：音量”や“左右：巻き戻し／早送り”、“操作情報切替”のようにキーの操作内容がガイダンス表示されている。
【００４９】
また、図１１に示すように、携帯電話機１は、外部装置（テレビ装置７）に対して情報を出力している情報出力中において、この情報の状況を示す状況情報を携帯電話表示部１７によって報知するようにしている。ここで、図中、“時間”に対応するレベル表示は、テレビ装置７に出力されている情報の出力時間情報（出力進捗情報）を報知する表示であり、“音量”に対応するレベル表示は、テレビ装置７に出力されている情報の音量情報を報知する表示である。この場合、“時間”に対応するレベル表示（タイムバー表示）のほか、具体的な数値表示によって出力時間を報知するようにしている。なお、図示の例は、動画を再生中において、その全体の再生時間６０分に対して現時点で１０分１０秒まで再生が進んだことを示している。
【００５０】
次に、この実施形態における携帯電話機１の動作概念を図１２〜図１７に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用してこの実施形態特有の動作を実行することもできる。
【００５１】
図１２は、電源投入に伴って実行開始される携帯電話機１側の全体動作の概要を示したフローチャートである。
先ず、携帯電話機１においてその中央制御部１１は、電源を投入する電源オン操作が行われると（ステップＡ１でＹＥＳ）、電源供給を開始させて所定のメモリなどを初期化する電源オン処理を実行したのち、所定の待受画像を読み出して表示させたり、基地局２Ａとの間で通信を行って位置登録をしたりする待受処理を行う（ステップＡ２）。その後、操作待ちや着信待ちなどの待ち受け状態となる。
【００５２】
ここで、任意の情報を設定する設定操作が行われた場合には（ステップＡ３でＹＥＳ）、その操作に対応する設定処理として、例えば、初期画面情報記憶部Ｍ４、変換用情報記憶部Ｍ５に対する設定処理などを行ったのち（ステップＡ４）、上述のステップＡ３に戻る。また、携帯電話機１にテレビ装置７がＨＤＭＩケーブル８を介して接続されたことを検出すると（ステップＡ５でＹＥＳ）、携帯電話機１の情報をテレビ装置７に出力するテレビ接続処理に移る（ステップＡ６）。
【００５３】
図１３は、テレビ接続処理（図１２のステップＡ６）を詳述するためのフローチャートである。
先ず、携帯電話機１においてその中央制御部１１は、接続されたテレビ装置７からその機種ＩＤ及びテレビ用リモコン９の機種ＩＤを取得したのち（ステップＢ１）、初期画面情報記憶部Ｍ４をアクセスして、その「設定フラグ」が“１”の初期画面情報を読み出し（ステップＢ２）、「設定フラグ」が“１”の初期画面情報は“メニュー画面”であるかを調べる（ステップＢ３）。いま、“メニュー画面”であれば（ステップＢ３でＹＥＳ）、図１０（１）に示すようなメニュー画面情報をＨＤＭＩケーブル８経由でテレビ装置７に対して出力し、そのテレビ表示部７７に表示させる（ステップＢ４）。そして、変換用情報記憶部Ｍ５において、現在の「メニュー画面情報出力中」の状態に対応する「現在フラグ」を“１”として、それ以外を“０”とする（ステップＢ５）。
【００５４】
また、「設定フラグ」が“１”の初期画面情報が“情報再生画面”であれば（ステップＢ３でＮＯ）、その「情報ＩＤ」に基づいて蓄積情報記憶部Ｍ３をアクセスして、該当する蓄積情報を読み出し、この蓄積情報をＨＤＭＩケーブル８経由でテレビ装置７に対して出力して、そのテレビ表示部７７に表示させる（ステップＢ６）。この場合、蓄積情報が動画であれば、テレビ装置７側においてその映像データはテレビ表示部７７に出力され、音声データはスピーカ７８に出力される。そして、変換用情報記憶部Ｍ５をアクセスし、現在の「状態」に対応する「現在フラグ」を“１”として、それ以外を“０”とする（ステップＢ７）。すなわち、現在出力中の蓄積情報が動画であれば、「動画再生画面情報出力中」に対応する「現在フラグ」を“１”とし、静止画であれば、「静止画再生画面情報出力中」に対応する「現在フラグ」を“１”とする。
【００５５】
このようにしてテレビ装置７に対して所定の情報（メニュー画面情報あるいは蓄積情報）を出力してそのテレビ表示部７７に表示させた状態において、変換用情報記憶部Ｍ５をアクセスし、「現在フラグ」が“１”の「状態」に対応する「操作情報」を読み出して（ステップＡ８）、携帯電話表示部１７に表示させる（ステップＢ９）。なお、変換用情報記憶部Ｍ５には、各「状態」毎に携帯電話機１、テレビ装置７、テレビ用リモコン９に対応して３つの「操作情報」が記憶されているが、この３つの「操作情報」を全て読み出して、その中から１つの「操作情報」、例えば、携帯電話機１の操作情報を表示させるようにしてもよい。また、上述のように取得したテレビ装置７の機種ＩＤ及びテレビ用リモコン９の機種ＩＤに基づいて、テレビ装置７、テレビ用リモコン９の「操作情報」を読み出して、その中から１つの「操作情報」、例えば、テレビ装置７の操作情報を表示させるようにしてもよい。次に、この出力中の情報の状況を報知する状況情報表示処理に移る（ステップＢ１０）。
【００５６】
図１４は、状況情報表示処理（図１３のステップＢ１０など）を詳述するためのフローチャートである。
先ず、携帯電話機１においてその中央制御部１１は、テレビ装置７に表示されている情報の種類として、動画、音楽、テレビ番組、ラジオ番組のいずれを出力中であるかを判別する（ステップＣ１）。いま、出力中の情報が動画、音楽、テレビ番組、ラジオ番組のいずれでもなければ（ステップＣ１でＮＯ）、例えば、静止画出力中やメニュー出力中などであれば、その情報の状況を報知する必要がないと判断して、このフローから抜けるが、動画、音楽、テレビ番組、ラジオ番組のいずれかの情報を出力中であれば（ステップＣ１でＹＥＳ）、その情報の現時点における出力音量を検出すると共に（ステップＣ２）、出力進捗情報としての出力時間を検出し（ステップＣ３）、図１１に示すように、この出力音量及び出力時間を携帯電話表示部１７に表示させる（ステップＣ４）。
【００５７】
このようなテレビ接続処理（図１２のステップＡ６）が終わると、ステップＡ３に戻る。いま、動画、静止画などの蓄積情報を出力している状態において、蓄積情報出力中であることを検出すると、つまり、蓄積情報がテレビ装置７に出力されているかを定期的にチェックするためのタイミング（例えば、１秒間隔）に達した際に、蓄積情報出力中であることを検出すると（ステップＡ１１でＹＥＳ）、上述の状況情報表示処理の実行に移る（ステップＡ１２）。これによって、出力音声及び出力時間の表示内容は、例えば、１秒間隔毎に更新される。
【００５８】
また、携帯電話機１は、テレビ装置７がＨＤＭＩケーブル８を介してＨＤＭＩ接続されている状態において、この携帯電話操作部１８でテレビ装置７に対して出力中の情報を制御するための操作（出力情報制御操作）が行われたことを検出すると（ステップＡ７でＹＥＳ）、この操作に応答して当該操作信号に応じた処理を実行するための出力情報制御処理Ａに移る（ステップＡ８）。
【００５９】
図１５は、出力情報制御処理Ａ（図１２のステップＡ８）を詳述するためのフローチャートである。
先ず、携帯電話機１においてその中央制御部１１は、変換用情報記憶部Ｍ５をアクセスし、「現在フラグ」が“１”の「状態」に対応して変換用情報が記憶されているかを調べ（ステップＤ１）、該当する変換用情報が記憶されていなければ（ステップＤ１でＮＯ）、この図１４のフローから抜けるが、「現在フラグ」が“１”の「状態」に対応して変換用情報が記憶されていれば（ステップＤ１でＹＥＳ）、変換用情報記憶部Ｍ５から該当する変換用情報を読み出す（ステップＤ２）。
【００６０】
そして、変換用情報記憶部Ｍ５から読み出した変換用情報に基づいて携帯電話操作部１８からの操作信号をテレビ装置７に出力する必要があるか、つまり、携帯電話操作部１８での操作が携帯電話機１を制御するための操作ではなく、テレビ装置７を制御するための操作（例えば、受信チャンネルを切り替える操作）であるかを当該変換用情報に基づいて判別する（ステップＤ３）。いま、テレビ装置７を制御するための操作であれば（ステップＤ３でＹＥＳ）、この操作信号をテレビ装置７に対して出力するが（ステップＤ４）、携帯電話機１を制御するための操作であれば（ステップＤ３でＮＯ）、図９に示す変換用情報に基づいて携帯電話操作部１８からの操作信号を、携帯電話機１を制御するための制御信号に変換する（ステップＤ５）。
【００６１】
そして、変換した制御信号は、携帯電話表示部１７に表示されている操作情報の切替処理を指示するための制御信号、つまり、携帯電話操作部１８での操作は、携帯電話表示部１７に表示されている操作情報の切替を指示する操作であるかを調べ（ステップＤ６）、操作情報の切替操作であれば（ステップＤ６でＹＥＳ）、携帯電話表示部１７の表示内容を、例えば、携帯電話機１の操作情報からテレビ用リモコン９の操作情報に切り替えたり、携帯電話機１の操作情報からテレビ装置７の操作情報に切り替えたり、テレビ用リモコン９の操作情報から携帯電話機１の操作情報に切り替えたりする（ステップＤ７）。
【００６２】
また、変換した制御信号がテレビ装置７に出力されている情報の切替処理を指示するための制御信号、つまり、携帯電話操作部１８での操作がテレビ装置７に出力されている情報の切替を指示する操作であれば（ステップＤ８でＹＥＳ）、その情報の出力切替処理を行い（ステップＤ９）、テレビ装置７に出力されていた情報の出力を停止したのち、ユーザ操作によって新たに指定された情報を出力対象として読み出して、この情報をテレビ装置７に対して出力する（ステップＤ１０）。これによって例えば、動画から静止画、動画から別の動画、メニュー画面から動画などのように、テレビ装置７の出力内容（映像、音声）が切り替えられる。
【００６３】
そして、中央制御部１１は、変換用情報記憶部Ｍ５をアクセスし、現在の「状態」に対応する「現在フラグ」を“１、”とし、それ以外を“０”としたのち（ステップＤ１１）、「現在フラグ」が“１”の「状態」に対応する「操作情報」を読み出して（ステップＤ１２）、携帯電話表示部１７に表示させる（ステップＤ１３）。そして、上述した状況情報表示処理に移り（ステップＤ１４）、携帯電話表示部１７に出力音声及び出力時間を表示させる。
【００６４】
また、変換した制御信号がテレビ装置７に出力されている情報の切替処理を指示するための制御信号ではなく、それ以外の処理を指示するための制御信号であれば、（ステップＤ８でＮＯ）、その制御信号に基づいた各種処理を行ったのち（ステップＤ１５）、この各種処理に応じた情報をテレビ装置７に対して出力する（ステップＤ１６）。例えば、各種設定処理であれば、設定画面情報を出力し、動画出力処理であれば、指定された動画を出力する。次に、変換用情報記憶部Ｍ５をアクセスし、現在の「状態」に対応する「現在フラグ」を“１”とし、それ以外を“０”としたのち（ステップＤ１７）、上述のステップＤ１２に移り、「現在フラグ」が“１”の「状態」に対応する「操作情報」を読み出したのち、携帯電話表示部１７に表示させる（ステップＤ１３）。
【００６５】
一方、携帯電話機１は、テレビ装置７がＨＤＭＩケーブル８を介してＨＤＭＩ接続されている状態において、テレビ操作部７４からの操作信号を受信したり、テレビ用リモコン操作部９７からの操作信号を、テレビ装置７を経由して受信したりすると（図１２のステップＡ９でＹＥＳ）、当該操作信号に応じた処理を実行するための出力情報制御処理Ｂに移る（ステップＡ１０）。
【００６６】
図１６は、出力情報制御処理Ｂ（図１２のステップＡ１０）の一部を示したフローチャートである。
先ず、携帯電話機１においてその中央制御部１１は、テレビ操作部７４又はテレビ用リモコン操作部９７からの操作信号を受信すると、この受信した操作信号を、携帯電話機１を制御するための制御信号に変換するために、変換用情報記憶部Ｍ５をアクセスし、「現在フラグ」が“１”の「状態」に対応して変換用情報が記憶されているかを調べ（ステップＥ１）、該当する変換用情報が記憶されていなければ（ステップＥ１でＮＯ）、この図１６のフローから抜けるが、「現在フラグ」が“１”の「状態」に対応して変換用情報が記憶されていれば（ステップＥ１でＹＥＳ）、該当する変換用情報を変換用情報記憶部Ｍ５から読み出す（ステップＥ２）。
【００６７】
そして、テレビ装置７又はテレビ用リモコン９からの操作信号を当該変換用情報に基づいて制御信号に変換したのち（ステップＥ３）、図１５（出力情報制御処理Ａ）のステップＤ６に移り、以下、同様に、変換した制御信号が携帯電話表示部１７に表示されている操作情報の切替処理を指示するための制御信号であれば（ステップＤ６でＹＥＳ）、その操作情の表示切替処理を行い（ステップＤ７）、変換した制御信号がテレビ装置７に出力されている情報の切替処理を指示するための制御信号であれば（ステップＤ８でＹＥＳ）、その情報の出力切替処理を行う（ステップＤ９）。また、変換した制御信号がテレビ装置７に出力されている情報の切替処理を指示するための制御信号ではなく、それ以外の処理を指示する制御信号であれば、（ステップＤ８でＮＯ）、その制御信号に基づいた各種処理を行う（ステップＤ１５）。
【００６８】
他方、携帯電話機１とテレビ装置７との接続が外れたことを検出した場合には（図１２のステップＡ１３でＹＥＳ）、テレビ接続外れ処理に移る（ステップＡ１４）。
図１７は、テレビ接続外れ処理（図１２のステップＡ１４）を詳述するためのフローチャートであり、中央制御部１１は、テレビ装置７に出力中の情報出力を停止させると共に（ステップＦ１）、変換用情報記憶部Ｍ５内の全ての「現在フラグ」を“０”とする（ステップＦ２）。そして、操作情報の表示を消去したのち（ステップＦ３）、この図１７のフローから抜ける。
【００６９】
また、電話着信を検出すると（図１２のステップＡ１５でＹＥＳ）、通話可能状態とすると共に、通話履歴を記憶したり、通話に関する情報を表示したりする通話処理を実行したのち（ステップＡ１６）、上述のステップＡ３に戻る。また、電源オフ操作が行われたときには（ステップＡ１７でＹＥＳ）、電源オフ処理を実行して（ステップＡ１８）、この図１２のフローの終了となるが、その他の操作が行われたときには（ステップＡ１９でＹＥＳ）、その操作に応じた処理として、例えば、通話発信処理、メール発信処理などを実行したのち（ステップＡ２０）、上述のステップＡ３に戻る。
【００７０】
以上のように、この実施形態において携帯電話機１は、テレビ装置７に接続されている場合に、そのテレビ装置７に出力されている情報を制御するための操作情報を報知するようにしたので、テレビ装置７に出力されている情報を制御する方法を、利便性を損なうことなく、ユーザに認識させることができる。
【００７１】
テレビ装置７に出力されている情報に応じた操作情報を選択して報知させるようにしたので、テレビ装置７に出力されている情報を制御する複数の方法の中から、テレビ装置７に出力されている情報に適した方法を、利便性を損なうことなく、ユーザに認識させることができる。
【００７２】
テレビ装置７に出力されている情報を携帯電話操作部１８によって制御する場合に、その操作情報を報知するようにしたので、携帯電話操作部１８による制御する方法を、ユーザに認識させることができる。
【００７３】
テレビ装置７に出力されている情報をテレビ操作部７４やテレビ用リモコン操作部９４によって制御する場合に、その操作情報を報知するようにしたので、テレビ装置７やテレビ用リモコン９による制御する方法を、ユーザに認識させることができる。
【００７４】
テレビ装置７やテレビ用リモコン９を識別するための「機種ＩＤ」を取得して、この「機種ＩＤ」に応じた操作情報を報知するようにしたので、機種に応じた操作情報を報知することができる。
【００７５】
携帯電話操作部１８、テレビ操作部７４、テレビ用リモコン操作部９４に対応する操作情報を切り替えて報知するようにしたので、ユーザが所望する方法を、ユーザに認識させることができる。
【００７６】
携帯電話機１は、テレビ装置７に出力されている情報が切り替わった場合に、その切り替わった情報を制御する方法を、ユーザに認識させることができる。
【００７７】
テレビ装置７への情報出力が停止した場合には、その情報を制御する方法の報知を停止して、不要な報知を省略することができる。
【００７８】
テレビ装置７に接続されている場合に、そのテレビ装置７に出力されている情報の状況を示す状況情報を報知するようにしたので、情報の状況を、利便性を損なうことなく、ユーザに認識させることができる。
【００７９】
テレビ装置７に出力されている情報の音量情報を報知するようにしたので、テレビ装置７に出力されている情報の音量情報を、利便性を損なうことなく、ユーザに認識させることができる。
【００８０】
テレビ装置７に出力されている情報の出力時間情報を報知するようにしたので、テレビ装置７に出力されている情報の出力時間情報を、利便性を損なうことなく、ユーザに認識させることができる。
【００８１】
なお、上述した実施形態においては、テレビ用リモコン９から送信された操作信号については、テレビ装置７を経由して受信するようにしたが、テレビ用リモコン９から送信された操作信号については当該テレビ用リモコン９から直接受信するようにしてもよい。これによってテレビ装置７に頼らずにテレビ用リモコンからの操作信号を受信することができる。この場合、携帯電話機１側に操作信号受信部（リモコン受信部）を設けることで、テレビ用リモコン９から送信される操作信号を直接的に受信することが可能となる。
【００８２】
また、上述した実施形態においては、外部装置としてテレビ装置７を例示し、それを制御する制御装置としてテレビ用リモコン９を例示したが、それに限らず、例えば、外部装置としてはステレオ装置、それを制御する制御装置としてはステレオ用リモートコントローラ（ステレオ用リモコン）であってもよい。この場合、携帯電話機１とステレオ装置とがＨＤＭＩケーブル８を介して接続されている状態において、ステレオ装置側の操作で携帯電話機１の制御が可能となり、また、ステレオ用リモコン側の操作で携帯電話機１の制御が可能となる。
【００８３】
このように外部装置がステレオ装置、ステレオ用リモコンの場合には、図１２において、ステップＡ５の“テレビ接続”が“ステレオ接続”となり、ステップＡ６の“テレビ接続処理”が“ステレオ接続処理”となり、ステップＡ１３の“テレビ接続外れ”が“ステレオ接続外れ”となり、ステップＡ１４の“テレビ接続外れ処理”が“ステレオ接続外れ処理”となる。この場合、図１３のステップＢ４のメニュー画面出力処理、ステップＢ６の情報再生画面出力処理を、音声メッセージを出力する音声出力処理としてもよい。その他、図１５の出力情報制御処理Ａにおいて、そのステップＤ１０、Ｄ１６の“テレビに出力”を“ステレオに出力”とすればよい。更に、外部装置及びその制御装置は、テレビ装置、テレビ用リモコン、ステレオ装置、ステレオ用リモコンに限らず、任意であり、表示装置、他の携帯電話機などであってもよい。
【００８４】
上述した実施形態においては、携帯電話機１に接続されている外部装置に対して蓄積情報を出力するようにしたが、例えば、放送受信中のテレビ番組やラジオ番組、ダウンロード中の動画、静止画などのように、リアルタイムで取得中の情報を外部装置に出力するようにしてもよく、外部装置に出力する情報は任意である。
【００８５】
上述した実施形態においては、操作情報や状況情報を携帯電話表示部１７に表示させることによって報知するようにしたが、サウンドスピーカ２１から音声で出力することによって報知したり、有効キーを発光させて報知したりするようにしてもよく、また、出力時間が所定の時間になったことを振動で報知したりするなど、テレビ装置７への出力とは異なる任意の報知方法であってもよい。
【００８６】
上述した実施形態においては、テレビ装置７に出力する情報の切替や出力の停止をユーザ操作で行うこととしたが、例えば、１つの動画の出力が終了したら別の動画に切り替えて出力したり、出力を停止したりするなど、自動的に行うこととしてもよい。
【００８７】
上述した実施形態においては、動画／音楽／テレビ番組／ラジオ番組の出力音量や出力時間（全体のどのあたりを出力しているか）を検出して報知するようにしたが、静止画の出力時間（どれだけの時間、同じ静止画を出力しているか）など、出力されている情報の状況を示す任意の状況情報を報知するようにしてもよい。
【００８８】
上述した実施形態においては、携帯電話機１と外部装置をＨＤＭＩ−ＣＥＣ規格でＨＤＭＩケーブル８を介して接続するようにしたが、携帯電話機１と外部装置との通信は、任意の規格で、有線通信でも、無線通信でもよく、コネクタ同士を直接接続する通信であってよい。
【００８９】
上述した実施形態においては、折り畳みタイプの携帯電話機１を例示したが、ストレートタイプ、スライドタイプ、スピントップタイプなど任意の筐体構造であってもよい。また、記憶部はメモリカードや外付けハードディスクなど、任意の外部記憶装置であってもよい。
【００９０】
また、本発明の適用は、端末装置として携帯電話機に限らず、その他、パーソナルコンピュータ、ＰＤＡ、デジタルカメラ、音楽プレイヤーなど、ゲーム機器、あるいはそれらの複合機などであってもよい
【符号の説明】
【００９１】
１  携帯電話機
２  無線通信網
３  インターネット
４  情報配信装置
７  テレビ装置
８  ＨＤＭＩケーブル
９  テレビ用リモコン
１１、７１、９１  中央制御部
１３、７３、９３  記憶部
１４  無線通信部
１７、７７  表示部
１８、７４、９４  操作部
２４、７５  接続部
７９  操作信号受信部
９５  操作信号送信部
Ｍ１  プログラム記憶部
Ｍ３  蓄積情報記憶部
Ｍ４  初期画面情報記憶部
Ｍ５  変換用情報記憶部
【図１】
2010171864.tif 000003
【図２】
2010171864.tif 000004
【図３】
2010171864.tif 000005
【図４】
2010171864.tif 000006
【図５】
2010171864.tif 000007
【図６】
2010171864.tif 000008
【図７】
2010171864.tif 000009
【図８】
2010171864.tif 000010
【図９】
2010171864.tif 000011
【図１０】
2010171864.tif 000012
【図１１】
2010171864.tif 000013
【図１２】
2010171864.tif 000014
【図１３】
2010171864.tif 000015
【図１４】
2010171864.tif 000016
【図１５】
2010171864.tif 000017
【図１６】
2010171864.tif 000018
【図１７】
2010171864.tif 000019